(57)【特許請求の範囲】
【請求項１】
外周面に内輪軌道面が形成された内輪、及び内周面に外輪軌道面が形成された外輪、並びに、前記内輪軌道面及び前記外輪軌道面間を転動する転動体を有する軸受、前記軸受の軸方向の一端部に位置して前記内輪に固定された、Ｎ極とＳ極を一定間隔で周方向に交互に並べてなる磁気エンコーダ、並びに、前記磁気エンコーダの磁極に対向して前記磁気エンコーダの回転を検知するための磁気センサを備えた軸受装置に用いられる保護カバーの製造方法であって、
前記保護カバーが、前記軸受の軸方向の一端部に位置して前記外輪に圧入される、非磁性体の鋼板をカップ状に成形したカップ状本体部、及び、前記磁気センサを取り付けるためのナットを保持しながら前記カップ状本体部に一体接合された合成樹脂製のセンサホルダ部を有するものであり、
前記カップ状本体部は、その底部に通孔が形成されたものであり、前記カップ状本体部をプレス加工により成形するプレス加工工程と、
前記ナット及び前記カップ状本体部をインサート品として金型内にセットし、型締めした後、溶融したプラスチックをキャビティ内に充填することにより、前記ナット及び前記カップ状本体部と一体化された前記センサホルダ部に、前記通孔を通って前記底部の内面側で径方向外方へ延びる回り込み部を形成するように射出成形を行う射出成形工程と、
を含むことを特徴とするセンサホルダ部を有する保護カバーの製造方法。
【請求項２】
前記カップ状本体部の前記通孔の周囲に無端状のシール体を加硫接着する加硫接着工程、及び前記周囲に熱硬化性接着剤を塗布する接着剤塗布工程の少なくともどちらかの工程を有する請求項１記載のセンサホルダ部を有する保護カバーの製造方法。
【請求項３】
前記カップ状本体部の底部が、最底部である円盤部、前記円盤部の外周縁から軸方向に延びる円筒部、前記円筒部の軸方向端縁から径方向外方に延びる円環部を有するものであり、前記センサホルダ部が前記円盤部及び前記円筒部を被う部分を有する請求項１記載のセンサホルダ部を有する保護カバーの製造方法。
【請求項４】
外周面に内輪軌道面が形成された内輪、及び内周面に外輪軌道面が形成された外輪、並びに、前記内輪軌道面及び前記外輪軌道面間を転動する転動体を有する軸受、前記軸受の軸方向の一端部に位置して前記内輪に固定された、Ｎ極とＳ極を一定間隔で周方向に交互に並べてなる磁気エンコーダ、並びに、前記磁気エンコーダの磁極に対向して前記磁気エンコーダの回転を検知するための磁気センサを備えた軸受装置に用いられる保護カバーの製造方法であって、
前記保護カバーが、前記軸受の軸方向の一端部に位置して前記外輪に圧入される、非磁性体の鋼板をカップ状に成形したカップ状本体部、及び、前記磁気センサを取り付けるためのナットを保持しながら前記カップ状本体部に一体接合された合成樹脂製のセンサホルダ部を有するものであり、
前記カップ状本体部は、その底部が、最底部である円盤部、前記円盤部の外周縁から軸方向に延びる円筒部、前記円筒部の軸方向端縁から径方向外方に延びる円環部を有するものであるとともに、前記円筒部には凹部又は凸部が形成されたものであり、前記カップ状本体部をプレス加工により成形するプレス加工工程と、
前記ナット及び前記カップ状本体部をインサート品として金型内にセットし、型締めした後、溶融したプラスチックをキャビティ内に充填することにより、前記ナット及び前記カップ状本体部と一体化された前記センサホルダ部に、前記円盤部及び前記円筒部により形成される段部を被う段部被い部を形成するように射出成形を行う射出成形工程と、
を含むことを特徴とするセンサホルダ部を有する保護カバーの製造方法。
【請求項５】
外周面に内輪軌道面が形成された内輪、及び内周面に外輪軌道面が形成された外輪、並びに、前記内輪軌道面及び前記外輪軌道面間を転動する転動体を有する軸受、前記軸受の軸方向の一端部に位置して前記内輪に固定された、Ｎ極とＳ極を一定間隔で周方向に交互に並べてなる磁気エンコーダ、並びに、前記磁気エンコーダの磁極に対向して前記磁気エンコーダの回転を検知するための磁気センサを備えた軸受装置の製造方法であって、
請求項１〜４の何れか１項に記載のセンサホルダ部を有する保護カバーの製造方法により製造された保護カバーを、前記外輪に圧入する工程を含む、保護カバーを備えた軸受装置の製造方法。
【発明の詳細な説明】
【技術分野】
【０００１】
本発明は、軸受の外輪に圧入されて磁気エンコーダを被うカップ状の保護カバーに関わり、さらに詳しくは、前記磁気エンコーダに対向する磁気センサを保持するセンサホルダ部を有する保護カバーに関する。
【背景技術】
【０００２】
自動車に広く普及している、車輪のロックを無くして効率良く安全に制動するアンチロックブレーキシステムは、例えば、回転速度検出装置（車輪速センサ）により各車輪の回転速度を検出し、制御装置により加速度及び減速度を演算するとともに車体速度とスリップ率を推定し、その結果に基づいてアクチュエータを駆動してブレーキ液圧の制御を行うものである。
このような回転速度検出装置を自動車のホイール支持用の転がり軸受（ハブベアリング）に備えた軸受装置も広く用いられており、Ｎ極とＳ極を一定間隔で周方向に交互に並べた磁気エンコーダを軸受の内輪に取り付け、前記磁気エンコーダの回転を検知するための磁気センサを前記磁気エンコーダに対向させて軸受の外輪に取り付けるとともに、前記磁気エンコーダを保護するように前記磁気エンコーダをインナー側から被う保護カバーを前記外輪のインナー側の端部に圧入したものがある（例えば、特許文献１参照）。
前記保護カバーにより、前記磁気エンコーダに小石や泥水等が当たらないことから前記磁気エンコーダの破損を防止できるとともに、前記磁気エンコーダのアウター側のシール部材が不要になることから摺動抵抗の低減により前記軸受装置の回転トルクを低減できる。
また、前記磁気エンコーダと前記磁気センサとのエアギャップ調整作業の煩雑さを解消するために、前記磁気センサを保持するセンサホルダ部を有する前記保護カバーとして、非磁性体の鋼板をプレス加工によりカップ状に形成したカップ状本体部（キャップ）の底部の一部に合成樹脂からなるボス部を一体に接合し、このボス部に前記磁気センサを固定するナットを一体に接合したものがある（例えば、特許文献２参照）。
【先行技術文献】
【特許文献】
【０００３】
【特許文献１】特開２０１１−０８４２６５号公報
【特許文献２】特開２０１３−１１７４５５号公報
【発明の概要】
【発明が解決しようとする課題】
【０００４】
特許文献２のようなセンサホルダ部を有する保護カバーの構造において、カップ状本体部（キャップ）の底部の一部への合成樹脂からなるボス部の接合は、接着によるのが一般的である。したがって、前記底部の接着面に微小なディンプルを形成したとしても、長期間の使用、及びその使用環境によっては、カップ状本体部とボス部との固着力が弱まってボス部が脱落する等、信頼性が低下するおそれがある。
【０００５】
そこで本発明が前述の状況に鑑み、解決しようとするところは、センサホルダ部を有する保護カバーの製造方法、及び前記保護カバーを備えた軸受装置の製造方法を提供する点にある。
【課題を解決するための手段】
【０００８】
本発明に係るセンサホルダ部を有する保護カバーの製造方法は、前記課題解決のために、外周面に内輪軌道面が形成された内輪、及び内周面に外輪軌道面が形成された外輪、並びに、前記内輪軌道面及び前記外輪軌道面間を転動する転動体を有する軸受、前記軸受の軸方向の一端部に位置して前記内輪に固定された、Ｎ極とＳ極を一定間隔で周方向に交互に並べてなる磁気エンコーダ、並びに、前記磁気エンコーダの磁極に対向して前記磁気エンコーダの回転を検知するための磁気センサを備えた軸受装置に用いられる保護カバーの製造方法であって、
前記保護カバーが、前記軸受の軸方向の一端部に位置して前記外輪に圧入される、非磁性体の鋼板をカップ状に成形したカップ状本体部、及び、前記磁気センサを取り付けるためのナットを保持しながら前記カップ状本体部に一体接合された合成樹脂製のセンサホルダ部を有するものであり、前記カップ状本体部は、その底部に通孔が形成されたものであり、
前記カップ状本体部をプレス加工により成形するプレス加工工程と、
前記ナット及び前記カップ状本体部をインサート品として金型内にセットし、型締めした後、溶融したプラスチックをキャビティ内に充填することにより、前記ナット及び前記カップ状本体部と一体化された前記センサホルダ部に、前記通孔を通って前記底部の内面側で径方向外方へ延びる回り込み部を形成するように射出成形を行う射出成形工程と、
を含むことを特徴とする（請求項１）。
【０００９】
このような製造方法により製造された保護カバーを、内輪に磁気エンコーダが固定された軸受の外輪に圧入することにより、磁気エンコーダに対して保護カバーが軸方向に位置決めされるとともに、保護カバーのセンサホルダ部により磁気センサが保護カバーに対して軸方向に位置決めされた状態で保持されるので、磁気エンコーダに対する磁気センサのエアギャップ調整が完了する。
よって、磁気エンコーダと磁気センサとのエアギャップ調整作業の煩雑さを解消できる。
その上、前記製造方法によれば、ナット及びカップ状本体部をインサート品として行った射出成形により、ナット及びカップ状本体部と一体化された合成樹脂製のセンサホルダ部に、カップ状本体部の底部の通孔を通って前記底部の内面側で径方向外方へ延びる回り込み部が形成される。
したがって、このような製造方法により製造された保護カバーにおいて、カップ状本体部とセンサホルダ部とが機械的に結合する。よって、カップ状本体部とセンサホルダ部との固着力が大きくなるため、カップ状本体部とセンサホルダ部との結合の高い信頼性を長期間にわたって確保できる。
【００１０】
ここで、前記カップ状本体部の前記通孔の周囲に無端状のシール体を加硫接着する加硫接着工程、及び前記周囲に熱硬化性接着剤を塗布する接着剤塗布工程の少なくともどちらかの工程を有するのが好ましい（請求項２）。
このような製造方法によれば、カップ状本体部の底部に通孔を形成しても、前記加硫接着工程又は前記接着剤塗布工程により、前記通孔の周囲のシール体又は接着剤層がカップ状本体部及びセンサホルダ部間に介在するので、保護カバーの気密性を保持できる。
【００１１】
また、前記カップ状本体部の底部が、最底部である円盤部、前記円盤部の外周縁から軸方向に延びる円筒部、前記円筒部の軸方向端縁から径方向外方に延びる円環部を有するものであり、前記センサホルダ部が前記円盤部及び前記円筒部を被う部分を有するようにしてもよい（請求項３）。
このような製造方法によれば、プレス加工工程で成形されるカップ状本体部の底部が、最底部である円盤部、前記円盤部の外周縁から軸方向に延びる円筒部、前記円筒部の軸方向端縁から径方向外方に延びる円環部を有するものであり、射出成形工程で成形されるセンサホルダ部が、カップ状本体部の通孔が形成された円盤部及び円盤部の外周縁から軸方向に延びる円筒部により形成される段部を被う部分を有する。よって、前記加硫接着工程や前記接着剤塗布工程を設けなくても、前記製造方法により製造された保護カバーにおいて一定の気密性を保つ効果があるため、製造コストを低減できる。
【００１２】
さらに、本発明に係るセンサホルダ部を有する保護カバーの製造方法は、前記課題解決のために、外周面に内輪軌道面が形成された内輪、及び内周面に外輪軌道面が形成された外輪、並びに、前記内輪軌道面及び前記外輪軌道面間を転動する転動体を有する軸受、前記軸受の軸方向の一端部に位置して前記内輪に固定された、Ｎ極とＳ極を一定間隔で周方向に交互に並べてなる磁気エンコーダ、並びに、前記磁気エンコーダの磁極に対向して前記磁気エンコーダの回転を検知するための磁気センサを備えた軸受装置に用いられる保護カバーの製造方法であって、
前記保護カバーが、前記軸受の軸方向の一端部に位置して前記外輪に圧入される、非磁性体の鋼板をカップ状に成形したカップ状本体部、及び、前記磁気センサを取り付けるためのナットを保持しながら前記カップ状本体部に一体接合された合成樹脂製のセンサホルダ部を有するものであり、
前記カップ状本体部は、その底部が、最底部である円盤部、前記円盤部の外周縁から軸方向に延びる円筒部、前記円筒部の軸方向端縁から径方向外方に延びる円環部を有するものであるとともに、前記円筒部には凹部又は凸部が形成されたものであり、
前記カップ状本体部をプレス加工により成形するプレス加工工程と、
前記ナット及び前記カップ状本体部をインサート品として金型内にセットし、型締めした後、溶融したプラスチックをキャビティ内に充填することにより、前記ナット及び前記カップ状本体部と一体化された前記センサホルダ部に、前記円盤部及び前記円筒部により形成される段部を被う段部被い部を形成するように射出成形を行う射出成形工程と、
を含むことを特徴とする（請求項４）。
【００１３】
このような製造方法により製造された保護カバーを、内輪に磁気エンコーダが固定された軸受の外輪に圧入することにより、磁気エンコーダに対して保護カバーが軸方向に位置決めされるとともに、保護カバーのセンサホルダ部により磁気センサが保護カバーに対して軸方向に位置決めされた状態で保持されるので、磁気エンコーダに対する磁気センサのエアギャップ調整が完了する。
よって、磁気エンコーダと磁気センサとのエアギャップ調整作業の煩雑さを解消できる。
その上、前記製造方法によれば、ナット及びカップ状本体部をインサート品として行った射出成形により、ナット及びカップ状本体部と一体化された合成樹脂製のセンサホルダ部に、カップ状本体部の円盤部及び円筒部により形成される段部を被う段部被い部が形成される。また、センサホルダ部の合成樹脂が、カップ状本体部の円筒部に形成された凹部又は凸部に係合する。
したがって、このような製造方法により製造された保護カバーにおいて、カップ状本体部とセンサホルダ部とが機械的に結合する。よって、カップ状本体部とセンサホルダ部との固着力が大きくなるため、カップ状本体部とセンサホルダ部との結合の高い信頼性を長期間にわたって確保できる。
【００１４】
さらにまた、本発明に係る軸受装置の製造方法は、外周面に内輪軌道面が形成された内輪、及び内周面に外輪軌道面が形成された外輪、並びに、前記内輪軌道面及び前記外輪軌道面間を転動する転動体を有する軸受、前記軸受の軸方向の一端部に位置して前記内輪に固定された、Ｎ極とＳ極を一定間隔で周方向に交互に並べてなる磁気エンコーダ、並びに、前記磁気エンコーダの磁極に対向して前記磁気エンコーダの回転を検知するための磁気センサを備えた軸受装置の製造方法であって、前記センサホルダ部を有する保護カバーの製造方５）。
【発明の効果】
【００１５】
以上のようなセンサホルダ部を有する保護カバーの製造方法、及び前記保護カバーを備えた軸受装置の製造方法によれば、インサート成形品（保護カバー）の合成樹脂（センサホルダ部）がインサート品（カップ状本体部）と機械的に結合する。よって、インサート品と合成樹脂との固着力が大きくなるため、インサート品と合成樹脂との結合の高い信頼性を長期間にわたって確保できるという顕著な効果を奏する。
【図面の簡単な説明】
【００１６】
【図１】本発明の実施の形態１に係るセンサホルダ部を有する保護カバーを備えた軸受装置の部分縦断面図である。
【図２】本発明の実施の形態１に係るセンサホルダ部を有する保護カバーに磁気センサを装着した状態を示す要部拡大縦断面斜視図である。
【図３】射出成形金型の一例を示す縦断面図である。
【図４】本発明の実施の形態２に係るセンサホルダ部を有する保護カバーを備えた軸受装置の部分縦断面図である。
【図５】本発明の実施の形態２に係るセンサホルダ部を有する保護カバーに磁気センサを装着した状態を示す要部拡大縦断面斜視図である。
【図６】本発明の実施の形態３に係るセンサホルダ部を有する保護カバーを備えた軸受装置の部分縦断面図である。
【図７】本発明の実施の形態３に係るセンサホルダ部を有する保護カバーに磁気センサを装着した状態を示す要部拡大縦断面斜視図である。
【図８】同じく部分縦断面図である。
【図９】射出成形金型の一例を示す縦断面図である。
【発明を実施するための形態】
【００１７】
次に本発明の実施の形態を添付図面に基づき詳細に説明するが、本発明は、添付図面に示された形態に限定されず特許請求の範囲に記載の要件を満たす実施形態の全てを含むものである。
【００１８】
実施の形態１．
図１の部分縦断面図に示す本発明の実施の形態１に係る軸受装置１１は、外輪１３に対して内輪１２が回転する軸受の他に、前記軸受の軸方向の一端部に配置した、磁気エンコーダ１６、保護カバー１、及び磁気センサＡ、並びに前記軸受の軸方向の他端部に配置したシール部材１５等を備える。
前記軸受は、外周面に内輪軌道面１２Ａが形成された内輪１２、及び内周面に外輪軌道面１３Ａが形成された外輪１３、並びに、内輪軌道面１２Ａ及び外輪軌道面１３Ａ間を転動する転動体１４，１４，…等を有する。
磁気エンコーダ１６は、Ｎ極とＳ極を一定間隔で周方向に交互に並べたものであり、前記軸受の軸方向の一端部に位置する支持部材１７により内輪１２に固定される。
保護カバー１は、前記軸受の軸方向の一端部を密封するように外輪１３に取り付けられ、磁気センサＡを保持するセンサホルダ部８を有する。
保護カバー１のセンサホルダ部８に装着された磁気センサＡは、磁気エンコーダ１６に対向し、磁気エンコーダ１６の回転を検知する。
【００１９】
図１に示す軸受装置１１において、内輪１２に磁気エンコーダ１６が固定された軸受の外輪１３に対し、保護カバー１のカップ状本体部１Ａを圧入することにより、磁気エンコーダ１６に対して保護カバー１が軸方向に位置決めされる。
また、保護カバー１のセンサホルダ部８により磁気センサＡが保護カバー１に対して軸方向に位置決めされた状態で保持されているので、磁気エンコーダ１６に対する磁気センサＡのエアギャップ調整が完了する。
よって、磁気エンコーダ１６と磁気センサＡとのエアギャップ調整作業の煩雑さを解消できる。
【００２０】
図１の部分縦断面図、及び図２の要部拡大縦断面斜視図に示すように、本発明の実施の形態１に係る保護カバー１は、非磁性体の鋼板をプレス加工によりカップ状に成形したカップ状本体部１Ａ、及び、磁気センサＡを取り付けるための取付ボルトＢが螺合するナット１０を保持しながらカップ状本体部１Ａに一体接合された合成樹脂製のセンサホルダ部８を有する。
ここで、保護カバー１はインサート成形品であり、カップ状本体部１Ａ及びナット１０がインサート品である。
【００２１】
カップ状本体部１Ａは、外輪１３に圧入される第１円筒部２、第１円筒部２よりも縮径して第１円筒部２の端縁に繋がり、外周面にシール体７が加硫接着された第２円筒部３、第２円筒部３の端縁に繋がって径方向内方へ延びる円環部４、円環部４の内径側端縁に繋がって軸方向に延びる第３円筒部５、及び第３円筒部５の端縁に繋がる円盤部６からなり、円盤部６（カップ状本体部１Ａの底部）には通孔６Ａが形成される。
ここで、カップ状本体部１Ａの底部は、最底部である円盤部６、円盤部６の外周縁から軸方向に延びる第３円筒部５、第３円筒部５の軸方向端縁から径方向外方に延びる円環部４を有し、円盤部６及び円盤部６の外周縁から軸方向に延びる第３円筒部５により形成される段部Ｃ（図２参照）を有する。
【００２２】
カップ状本体部１Ａと一体化されたセンサホルダ部８は、ナット１０を保持する基部８Ａ、及び円盤部６の通孔６Ａを通ってカップ状本体部１Ａの内面側で径方向外方へ延びる回り込み部８Ｂを有し、基部８Ａは、円盤部６及び第３円筒部５を被う部分を有する。
また、通孔６Ａの周囲でカップ状本体部１Ａ及びセンサホルダ部８間には、無端状のシール体Ｓが介在する。
【００２３】
ここで、シール体７及びＳは、合成ゴム等の弾性体であり、ニトリルゴム（ＮＢＲ）、水素化ニトリルゴム（ＨＮＢＲ）、アクリルゴム（ＡＣＭ）、エチレン・アクリルゴム（ＡＥＭ）、フッ素ゴム（ＦＫＭ、ＦＰＭ）、シリコーンゴム（ＶＱＭ）等のゴムから、１種、あるいは２種以上のゴムを適当にブレンドして使用することができる。
【００２４】
次に、センサホルダ部８を有する保護カバー１の製造方法について説明する。
＜プレス加工工程＞
保護カバー１を構成するカップ状本体部１Ａを、例えばオーステナイト系ステンレス鋼製の板材からプレス加工により成形するプレス加工工程を行う。
【００２５】
＜加硫接着工程＞
前記プレス加工工程で成形されたカップ状本体部１Ａの第２円筒部３の外周面にシール体７を加硫接着するとともに、円盤部６の通孔６Ａの周囲に無端状（例えば円環状）のシール体Ｓを加硫接着する加硫接着工程を行う。
なお、シール体Ｓに換えて円盤部６の通孔６Ａの周囲に熱硬化性接着剤を塗布する接着剤塗布工程を行ってもよく、あるいはシール体Ｓを加硫接着する加硫接着工程及び熱硬化性接着剤を塗布する接着剤塗布工程の両方を行ってもよい。
【００２６】
＜射出成形工程＞
図３の縦断面図に示す射出成形金型において、先ず、固定型１８の支持軸２１にインサート品であるナット１０をセットする。
また、前記プレス加工工程で成形され、前記加硫接着工程を経た、インサート品であるカップ状本体部１Ａを可動型１９にセットする。
次に、射出成形機に取り付けられた固定型１８及び可動型１９を型締めした状態で、溶融したプラスチックをスプルーから注入してゲート２０から固定型１８及び可動型１９間のキャビティ内に充填する。
次に、溶融したプラスチックを冷却・固化させた後、可動型１９を開いてインサート成形品を取り出す。
このような射出成形工程を経た保護カバー１（図１及び図２参照）は、ナット１０の周溝１０Ａに合成樹脂が入り込んでいるのでナット１０の抜け止めがされるとともに、円盤部６の通孔６Ａを通って径方向外方へ合成樹脂が回り込んで回り込み部８Ｂが形成されているので、カップ状本体部１Ａとセンサホルダ部８は機械的に結合する。
【００２７】
また、円盤部６の通孔６Ａの周囲のカップ状本体部１Ａ及びセンサホルダ部８間には、シール体Ｓ及び接着剤層の一方又は両方が介在するので、保護カバー１の気密性が保持される。
なお、センサホルダ部８の基部８Ａは、円盤部６及び第３円筒部５（図２に示す段部Ｃ）を被う部分を有するので、シール体Ｓや接着剤層が無くても一定の気密性を保つ効果があるため、要求仕様によってはシール体Ｓ又は接着剤層を無くしてもよい。
【００２８】
実施の形態２．
図４の部分縦断面図に示す本発明の実施の形態２に係る軸受装置１１及び保護カバー１、並びに図５の要部拡大縦断面斜視図に示す本発明の実施の形態２に係る保護カバー１において、実施の形態１の図１及び図２と同一符号は同一又は相当部分を示しているので、同一部分についての説明は省略する。
実施の形態２の保護カバー１のカップ状本体部１Ａは、外輪１３に圧入される第１円筒部２、第１円筒部２よりも縮径して第１円筒部２の端縁に繋がり、外周面にシール体７が加硫接着された第２円筒部３、及び第２円筒部３の端縁に繋がる円盤部６からなり、円盤部６（カップ状本体部１Ａの底部）には通孔６Ａが形成される。
よって、実施の形態２のカップ状本体部１Ａには、実施の形態１の図２に示す段部Ｃが無く、カップ状本体部１Ａの加工工程を簡単化できるため、保護カバー１の製造コストを低減できる。
【００２９】
実施の形態１及び２のような保護カバー１の構成によれば、インサート成形品である保護カバー１の合成樹脂製のセンサホルダ部８が、インサート品であるカップ状本体部１Ａの底部の通孔６Ａを通って径方向外方へ延びる回り込み部８Ｂを有するので、カップ状本体部１Ａとセンサホルダ部８とが機械的に結合する。
よって、カップ状本体部１Ａとセンサホルダ部８との固着力が大きくなるため、カップ状本体部１Ａとセンサホルダ部８との結合の高い信頼性を長期間にわたって確保できる。
【００３０】
なお、以上のような保護カバー１におけるカップ状本体部１Ａとセンサホルダ部８とを機械的に結合させる技術は、インサート成形によりインサート品と合成樹脂とを一体化した保護カバー１以外のインサート成形品にも適用できる。
すなわちインサート品の合成樹脂との接合面に通孔を形成し、前記合成樹脂に、前記接合面から前記通孔を通って径方向外方へ延びる回り込み部を形成すればよい。
【００３１】
実施の形態３．
図６の部分縦断面図に示す本発明の実施の形態３に係る軸受装置１１及び保護カバー１、並びに図７の要部拡大縦断面斜視図及び図８の部分縦断面図に示す本発明の実施の形態３に係る保護カバー１において、実施の形態１の図１及び図２と同一符号は同一又は相当部分を示しているので、同一部分についての説明は省略する。
実施の形態３の保護カバー１のカップ状本体部１Ａは、その第３円筒部５の外周面には、外方からパンチ等を押圧することにより凹部９，９，…が形成されており、実施の形態１のような通孔６Ａは無い。
センサホルダ部８は、ナット１０を保持する基部８Ａ、及び円盤部６及び第３円筒部５により形成される段部Ｃを被う段部被い部８Ｃを有し、センサホルダ部８の合成樹脂が凹部９，９，…内に入り込んでいるので、カップ状本体部１Ａと一体化される。
【００３２】
次に、センサホルダ部８を有する保護カバー１の製造方法について説明する。
＜プレス加工工程＞
保護カバー１を構成するカップ状本体部１Ａを、例えばオーステナイト系ステンレス鋼製の板材からプレス加工により成形するプレス加工工程を行う。
【００３３】
＜加硫接着工程＞
前記プレス加工工程で成形されたカップ状本体部１Ａの第２円筒部３の外周面にシール体７を加硫接着する加硫接着工程を行う。
なお、カップ状本体部１Ａの合成樹脂との接合面に熱硬化性接着剤を塗布する接着剤塗布工程を行ってもよく、それによりカップ状本体部１Ａと合成樹脂の結合強度が向上する。
【００３４】
＜射出成形工程＞
図９の縦断面図に示す射出成形金型において、先ず、固定型１８の支持軸２１にインサート品であるナット１０をセットする。
また、前記プレス加工工程で成形され、前記加硫接着工程を経た、インサート品であるカップ状本体部１Ａを可動型１９にセットする。
次に、射出成形機に取り付けられた固定型１８及び可動型１９を型締めした状態で、溶融したプラスチックをスプルーから注入してゲート２０から固定型１８及び可動型１９間のキャビティ内に充填する。
次に、溶融したプラスチックを冷却・固化させた後、可動型１９を開いてインサート成形品を取り出す。
このような射出成形工程を経た保護カバー１（図６〜図８参照）は、ナット１０の周溝１０Ａに合成樹脂が入り込んでいるので、ナット１０の抜け止めがされる。また、センサホルダ部８は、カップ状本体部１Ａの段部Ｃを被う段部被い部８Ｃを有するとともに、センサホルダ部８の合成樹脂がカップ状本体部１Ａの第３円筒部５の外周面に形成された凹部９，９，…内に入り込んでいる。よって、カップ状本体部１Ａとセンサホルダ部８は機械的に結合する。
【００３５】
なお、図６〜図８に示すように、第３円筒部５の外周面への凹部９，９，…の形成により、第３円筒部５の内周面に凸部が形成されるので、アンダーカット部があるが、図９に示す可動型１９には、前記凸部に対応する位置に縮径部Ｄ，Ｄ，…を設けているので、可動型１９へのカップ状本体部１Ａのセット、及び可動型１９からの磁気エンコーダ１の取り外しが容易になる。
【００３６】
実施の形態３のような保護カバー１の構成によれば、インサート品であるカップ状本体部１Ａの最底部である円盤部６及び円盤部６の外周縁から軸方向に延びる第３円筒部５により形成される段部Ｃを、合成樹脂製のセンサホルダ部８が被うとともに、第３円筒部５に形成された凹部９，９，…にセンサホルダ部８が係合するので、カップ状本体部１Ａとセンサホルダ部８とが機械的に結合する。
よって、カップ状本体部１Ａとセンサホルダ部８との固着力が大きくなるため、カップ状本体部１Ａとセンサホルダ部８との結合の高い信頼性を長期間にわたって確保できる。
【００３７】
以上の説明においては、カップ状本体部１Ａの小径の側部である第３円筒部５の外周面に凹部９，９，…を形成する場合を示したが、第３円筒部５の外周面に凸部を形成してもよく、その場合には、図９の可動型１９に縮径部Ｄ，Ｄ，…を形成する必要がなくなる。
なお、以上のような保護カバー１におけるカップ状本体部１Ａとセンサホルダ部８とを機械的に結合させる技術は、インサート成形によりインサート品と合成樹脂とを一体化した保護カバー１以外のインサート成形品にも適用できる。
すなわちインサート品をカップ状とし、前記カップ状の底部に、前記カップ状の側部よりも小径の側部を有して最底部に繋がる段部を形成するとともに、前記小径の側部に凹部又は凸部を形成し、前記合成樹脂が、前記段部（前記最底部及び前記小径の側部）を被う部分を有するようにすればよい。
【符号の説明】
【００３８】
１  保護カバー（インサート成形品）
１Ａ  カップ状本体部（インサート品）
２  第１円筒部
３  第２円筒部
４  円環部
５  第３円筒部（小径の側部）
６  円盤部（最底部）
６Ａ  通孔
７  シール体
８  センサホルダ部（合成樹脂）
８Ａ  基部
８Ｂ  回り込み部
８Ｃ  段部被い部
９  凹部
１０  ナット（インサート品）
１０Ａ  周溝
１１  軸受装置
１２  内輪
１２Ａ  内輪軌道面
１３  外輪
１３Ａ  外輪駆動面
１４  転動体
１５  シール部材
１６  磁気エンコーダ
１７  支持部材
１８  固定型
１９  可動型
２０  ゲート
２１  支持軸
Ａ  磁気センサ
Ｂ  取付ボルト
Ｃ  段部
Ｄ  縮径部
Ｓ  シール体
【図１】
0006665511.tif 000002
【図２】
0006665511.tif 000003
【図３】
0006665511.tif 000004
【図４】
0006665511.tif 000005
【図５】
0006665511.tif 000006
【図６】
0006665511.tif 000007
【図７】
0006665511.tif 000008
【図８】
0006665511.tif 000009
【図９】
0006665511.tif 000010